(57)【要約】【課題】  建物に設置される既存の設備を利用して、生ゴミの処理で発生した臭気の排気性能の向上を図った生ゴミ乾燥処理システムを提供する【解決手段】  換気装置５は、外気を取り入れて建物４の室内に供給すると共に、室内の空気を吸気し外部へ排気する機能を有し、２４時間連続運転される。生ゴミ処理装置３と接続される臭気排気配管１３を、換気装置５からの排気が通る外部排気配管１６に接続し、生ゴミ処理装置３での排気を２４時間運転の換気装置５を利用して行う。【選択図】        図１
2006015249.tif 000002
【特許請求の範囲】
【請求項１】
処理部に投入された生ゴミを乾燥させる生ゴミ処理装置と、
少なくとも室内の空気を吸気し外部へ排気する連続運転される換気装置とを備え、
前記生ゴミ処理装置の前記処理部からの排気経路を、前記換気装置の排気経路に接続した
ことを特徴とする生ゴミ乾燥処理システム。
【請求項２】
前記換気装置は、吸気した室内の空気を外部へ送出する外部排気配管を備え、
前記生ゴミ処理装置の前記処理部に接続された臭気排気配管を前記外部排気配管への排気経路に接続した
ことを特徴とする請求項１記載の生ゴミ乾燥処理システム。
【請求項３】
前記臭気排気配管を、前記外部排気配管に排出方向に向かって鋭角に接続した
ことを特徴とする請求項２記載の生ゴミ乾燥処理システム。
【請求項４】
前記生ゴミ処理装置の前記処理部と前記外部排気配管との接続箇所の間に、脱臭機構を備えた
ことを特徴とする請求項２または３記載の生ゴミ乾燥処理システム
【請求項５】
前記生ゴミ処理装置は台所のシンク下に設置され、前記処理部へ生ゴミを投入する投入部が前記シンクの開口部に接続された
ことを特徴とする請求項１、２、３または４記載の生ゴミ乾燥処理システム。
【発明の詳細な説明】
【技術分野】
【０００１】
本発明は、一般家庭の厨房等で発生する生ゴミを乾燥させて減量処理する生ゴミ処理装置を備えた生ゴミ乾燥処理システムに関するものであり、特に、生ゴミの処理で発生した臭気の排気性能の向上を図った生ゴミ乾燥処理システムに関するものである。
【背景技術】
【０００２】
一般家庭等において発生する生ゴミの減量処理を行う生ゴミ処理装置は、加熱等により生ゴミを乾燥させる乾燥方式と、微生物を使用して生ゴミを分解する微生物分解方式等が知られている。
【０００３】
このような生ゴミ処理装置では、処理中に発生する臭気等を排気する必要がある。床置型の生ゴミ処理装置では、台所等の設置場所の室内に排気している。このため、脱臭機構を備えるが、脱臭機構を備えても完全に脱臭することはできず、室内に臭気がこもる。
【０００４】
これに対して、シンク下に設置されるビルトイン型の生ゴミ処理装置では、排気管をシンクからの排水管に接続して、臭気を排水管に排気するようにしている（例えば、特許文献１参照）。
【０００５】
【特許文献１】特開２００４−５７８６３号公報
【発明の開示】
【発明が解決しようとする課題】
【０００６】
排気を排水管に行うようにした生ゴミ処理装置では、排水管からの下水臭が逆流しないようにするため、生ゴミ処理装置に大型の電動ファンを備える必要があり、製品コストが高いという問題がある。
【０００７】
また、生ゴミの乾燥処理中は電動ファンも稼動させる必要があるので、消費電力が増加し運転コストが高いという問題がある。更に、シンク下に電動ファンが設置されるので、定常的な騒音が発生するという問題がある。
【０００８】
本発明は、このような課題を解決するためになされたもので、建物に設置される既存の設備を利用して、生ゴミの処理で発生した臭気の排気性能の向上を図った生ゴミ乾燥処理システムを提供することを目的とする。
【課題を解決するための手段】
【０００９】
上記目的を達成するため、請求項１の発明は、処理部に投入された生ゴミを乾燥させる生ゴミ処理装置と、少なくとも室内の空気を吸気し外部へ排気する連続運転される換気装置とを備え、生ゴミ処理装置の処理部からの排気経路を、換気装置の排気経路に接続したことを特徴とする。
【００１０】
請求項２の発明は、換気装置は吸気した室内の空気を外部へ送出する外部排気配管を備え、生ゴミ処理装置の処理部に接続された臭気排気配管を外部排気配管への排気経路に接続したことを特徴とする。
【００１１】
請求項３の発明は、臭気排気配管を外部排気配管に排出方向に向かって鋭角に接続したことを特徴とする。
【００１２】
請求項４の発明は、生ゴミ処理装置の処理部と外部排気配管との接続箇所の間に、脱臭手段を備えたことを特徴とする。
【００１３】
請求項５の発明は、生ゴミ処理装置は台所のシンク下に設置され、処理部へ生ゴミを投入する投入部がシンクの開口部に接続されたことを特徴とする。
【発明の効果】
【００１４】
本発明によれば、生ゴミ処理装置で発生した臭気は、室内の換気を２４時間行う換気装置の排気によって外部へ排出される。換気装置は室内の空気を強制的に吸気して排出するので、排気の風量が大きい。これにより、生ゴミ処理装置の処理部の臭気を、換気装置で強制的に吸気して排出することができる。
【００１５】
よって、生ゴミ処理装置側では排気能力の高いファン等を備える必要がなく、また、換気装置は建物に既存の設備であるので、生ゴミ処理装置の製品コストは抑えつつ、排気性能の向上を図ることができる。そして、換気装置による排気の風量が大きいことから、臭気を希薄化して外部へ排出することができる。
【００１６】
更に、換気装置は２４時間運転が前提の装置であるので、生ゴミ処理装置側での排気のための新たな運転コストは発生せず、生ゴミ処理装置の運転コストを抑えることができる。
【００１７】
また、生ゴミ処理装置側で排気能力の高いファン等を備える必要がないので、装置の小型化を図ることができると共に、生ゴミ処理装置の運転中の騒音を抑えることができる。
【発明を実施するための最良の形態】
【００１８】
以下、図面を参照して本発明の生ゴミ乾燥処理システムの実施の形態について説明する。
図１は本実施の形態の生ゴミ乾燥処理システム１の概要を示す平面配置図である。生ゴミ乾燥処理システム１は、厨房設備２に備えた生ゴミ処理装置３の排気を、建物４に既存の換気装置５を使用して外部へ排出するものである。
【００１９】
図２は生ゴミ処理装置３の概要を示す正面断面図である。生ゴミ処理装置３は、厨房設備２のシンク２ａの下に設置されるビルトイン型と称されるもので、シンク２ａの開口部に取り付けられる投入部６と、投入部６から投入された生ゴミを乾燥処理する処理部７を備える。
【００２０】
処理部７は、投入部６と接続された処理容器８と、処理容器８に回転可能に取り付けられ、図示しないモータにより駆動される攪拌羽根９と、処理容器８に送風を行う送風ファン１０と、処理容器８内の空気（臭気等）の排気口１１を備える。
【００２１】
また、排気口１１には図示しないフィルタ等による脱臭機構１２を備えると共に、必要に応じて処理容器８からの吸気を行う排気ファンを備える。なお、排気ファンを設ける場合は、小型のもので良い。
【００２２】
生ゴミ処理装置３の動作の概要を説明すると、厨房等で発生した生ゴミは、シンク２ａの開口部から投入部６に投入される。投入部６は図示しないが例えば生ゴミの破砕を行う破砕機構と、生ゴミの水切りを行う固液分離機構等が備えられ、破砕され、かつある程度固液分離された生ゴミが処理容器８に投入される。
【００２３】
処理容器８に投入された生ゴミは、攪拌羽根９が回転駆動されることで攪拌されつつ、送風ファン１０からの送風で乾燥される。なお、乾燥を促進するため、送風ファン１０から熱風が送り込まれるようにしても良いし、処理容器８を加温して生ゴミを加熱するヒータ等を備えても良い。
【００２４】
また、生ゴミ処理装置３の構成としては、投入部６に固液分離機構を備えると共に、処理部７に生ゴミの攪拌および破砕を行う機構を備えても良い。
【００２５】
生ゴミは乾燥させることで減量化され、処理容器８から回収して通常の可燃ゴミとして廃棄する際の量を、生ゴミを直接廃棄する場合と比較して減らすことができる。また、堆肥として利用することが可能である。
【００２６】
さて、生ゴミ処理装置３では、生ゴミの処理で臭気が発生することは避けられないことから、処理容器８内の臭気を周囲に影響を及ぼすことなく排出する必要がある。本例では、生ゴミ処理装置３の排気口１１を、図１に示す換気装置５による排気経路に臭気排気配管１３で接続する。
【００２７】
次に、図１を用いて換気装置５を使用した換気システムの概要について説明する。換気装置５は、外気を取り入れて室内に供給すると共に、室内の空気を吸気し外部へ排気する機能を有し、２４時間連続運転される。
【００２８】
すなわち、建築基準法によって建物の全部屋の換気が義務化され、所定時間で部屋の空気を入れ替えるために、２４時間連続運転される換気装置５を備えて、強制換気を行うようになっている。
【００２９】
換気システムの一例としては、各階に一台ずつ、例えば廊下の天井等に換気装置５を備え、換気装置５では、外気の取り込み、各部屋への空気の供給、各部屋から吸気した空気の排出はダクトを介して行い、各部屋からの空気の吸気は換気装置５の下面等に備えたパネルの吸込口から行うようになっている。
【００３０】
このため、換気装置５は、建物４の外壁等に設置される吸気口１４ａと接続される外気導入配管１５と、通常、吸気口１４ａの近傍に設置される排気口１４ｂと接続される外部排気配管１６と、各部屋の天井等に設置される供給口１７と接続される供給配管１８が接続される。
【００３１】
そして、生ゴミ処理装置３の図２に示す排気口１１と接続された臭気排気配管１３を、換気装置５から外部排気配管１６への排気経路に接続する。
【００３２】
図３は換気装置５の概要を示す構成図である。なお、図３は換気装置５を下面側から見た場合の内部構成の概略を示している。換気装置５は、図示しないモータに駆動される排気ファン１９を備える。排気ファン１９は例えばシロッコファンで、回転駆動される羽根車２０とファンケース２１を備える。ファンケース２１の出口部２１ａは排気チャンバー２２と接続され、排気チャンバー２２が図１にも示す外部排気配管１６と接続される。
【００３３】
排気ファン１９は、図１に示す建物４の室内の空気を、下面側等に備えた図示しないパネルの吸込口から強制的に吸気する。通常、各部屋からの吸気のためにはダクト類は用いず、ドアの下方に設けられたアンダーカット部等を通して吸気するようになっている。そして、吸い込んだ空気を外部排気配管１６を通して外部へと排気する。
【００３４】
図２に示す生ゴミ処理装置３からの臭気排気配管１３は、排気チャンバー２２あるいはその近傍に接続される。排気ファン１９は図１に示す建物４内の空気を強制的に吸気して排出するので、排気の風量が大きい。特に、ファンケース２１の出口部２１ａに近い排気チャンバー２２やその近傍では排出方向への風量が大きい。
【００３５】
このため、排気チャンバー２２に臭気排気配管１３を接続すると、排気ファン１９により作られる空気の流れによる誘引効果で、図２に示す処理容器８内の臭気を強制的に吸気することができる。
【００３６】
なお、臭気排気配管１３と排気チャンバー２２の接続箇所では、臭気排気配管１３を外部排気配管１６への空気の流れに向かって鋭角な向きで接続する。これにより、外部排気配管１６における空気の流れに対して、臭気排気配管１３からの空気の流れが沿うように合流するので、損失を抑えることができ、排気効率を向上させることができる。
【００３７】
換気装置５の他の部位の構成を図３を用いて説明すると、例えば排気ファン１９と同軸上に図示しない吸気ファンを備える。吸気ファンは外気導入配管１５と接続され、外気を吸気して換気装置５に取り込み、供給配管１８で各部屋へ供給する。
【００３８】
また、換気装置５は熱交換器２３を備えても良い。熱交換器２３では、図示しない吸気ファンで外気導入配管１５から吸気され供給配管１８で各部屋へ供給される空気と、排気ファン１９で吸気された空気の間で熱交換を行う。
【００３９】
ここで、生ゴミ処理装置３からの臭気排気配管１３は、排気チャンバー２２に接続することで、生ゴミ処理装置３からの臭気は熱交換器２３を介さず直接外部排気配管１６へと排気される。
【００４０】
次に、生ゴミ乾燥処理システムの動作について各図を参照して説明する。まず、換気装置５の動作を説明すると、図示しない吸気ファンで吸気口１４ａから外気導入配管１５を介して外気を吸気し、図示しないフィルタ等から各供給配管１８を介して供給口１７から建物４の各部屋へ新鮮な外気を供給する。
【００４１】
同時に、排気ファン１９で室内の空気を吸気し、外部排気配管１６を介して排気口１４ｂから建物４の外へと排気する。換気装置５は２４時間連続運転される装置であり、上述した換気動作が２４時間連続して行われている。これにより、外部排気配管１６は換気動作に伴い空気が排出方向へ常時流れている。
【００４２】
さて、上述したように生ゴミ処理装置３で生ゴミの乾燥処理を行うと、処理容器８内に送風を行うため、排気が必要である。本例では、処理容器８の排気口１１が外部排気配管１６と接続された排気チャンバー２２と臭気排気配管１３で接続されるので、換気装置５の排気のための吸気による外部排気配管１６での空気の流れで処理容器８内の臭気が強制的に吸気され、室内からの空気と共に排気口１４ｂから建物４の外へと排気される。
【００４３】
なお、処理容器８の排気口１１に脱臭機構１２を備えることで、臭いはかなりのレベルで抑えられる。そして、換気装置５による排気の風量が大きいことから、臭気を希薄化して外部へ排出することができる。このため、脱臭機構１２を備えない構成とすることも可能である。この場合は、排気口１４ｂを、吸気口１４ａに対して６０ｃｍ程度あるいはそれ以上上方または水平方向で３ｍ程度あるいはそれ以上離れた位置に設けることとすれば、吸気口１４ａからの吸気が排気口１４ｂからの排気の影響を受けることはない。
【００４４】
また、脱臭機構を換気装置５側に備えることとすれば、生ゴミ処理装置３側の部品点数を減らして製品コストを下げることができる。
【００４５】
なお、換気装置５は２４時間運転されるので、生ゴミ処理装置３が稼動停止中は、換気装置５からの排気が生ゴミ処理装置３側へ逆流する事象が考えられる。このため、臭気排気配管１３等に逆止弁を備えると良い。
【００４６】
このように、２４時間連続運転される換気装置５の排気経路に生ゴミ処理装置５の排気口１１からの臭気排気配管１３を接続することで、生ゴミ処理装置３での処理で発生する臭気を強制的に排出することができる。
【００４７】
このため、生ゴミ処理装置３では、排気のための電動ファンは不要、あるいは設置する場合も小型のファンで済み、製品コストを抑えることができる。また、静音化が可能であると共に、運転コストも抑えることができる。
【００４８】
なお、２４時間連続運転される換気装置５としては、全部屋の換気を行う換気装置の他に、浴室等の特定の部位の換気を２４時間連続して行う換気装置も存在する。これにより、例えば２４時間連続運転される浴室用の換気装置の排気経路に生ゴミ処理装置３からの排気経路を接続しても、同様の効果が得られる。
【産業上の利用可能性】
【００４９】
本発明は、室内環境を悪化させることなく、生ゴミ処理の利便性を向上させることができる。
【図面の簡単な説明】
【００５０】
【図１】本実施の形態の生ゴミ乾燥処理システム１の概要を示す平面配置図である。
【図２】生ゴミ処理装置３の概要を示す正面断面図である。
【図３】換気装置５の概要を示す構成図である。
【符号の説明】
【００５１】
１・・・生ゴミ乾燥処理システム、２・・・厨房設備、２ａ・・・シンク、３・・・生ゴミ処理装置、４・・・建物、５・・・換気装置、６・・・投入部、７・・・処理部、８・・・処理容器、９・・・攪拌羽根、１０・・・送風ファン、１１・・・排気口、１２・・・脱臭機構、１３・・・臭気排気配管、１４ａ・・・吸気口、１４ｂ・・・排気口、１５・・・外気導入配管、１６・・・外部排気配管、１７・・・供給口、１８・・・供給配管、１９・・・排気ファン、２０・・・羽根車、２１・・・ファンケース、２１ａ・・・出口部、２２・・・排気チャンバー、２３・・・熱交換器
【図１】
2006015249.tif 000003
【図２】
2006015249.tif 000004
【図３】
2006015249.tif 000005